(57)【要約】      （修正有） 【課題】養生テープの繰り出しの際に蛇行が生じることなく、壁装材裏面縁部に沿って良好な養生テープの積層状態が維持できる壁紙糊付機用養生テープ支持具を提供する。【解決手段】互いに面対称形状を持つ左右二つの一体成形品が互いに対向状態で組み合わされて構成される壁紙糊付機用養生テープ支持具１０であり、各一体成形品は、養生テープロールの一方の端面に当接する当接板部２２と、該当接板部に突設され、養生テープロールの中空芯内に摺動可能に嵌合する筒状部１３，２３と、当接板部から延びる腕部の先端部に形成され、糊付機本体下部構体の左右両側壁間の糊桶下方に横架された前方ステー又は後方ステー６に解除可能に嵌合固定される嵌合部１５，２５と、をそれぞれ備える。【選択図】図１
0003152633.tif 000002
【実用新案登録請求の範囲】
【請求項１】
それぞれ複数のローラが回転可能に軸支された上部構体と下部構体との間で後部から引き入れられたシート状壁装材を前部に引き出しながら、前記下部構体内の糊桶に収容された糊を前記壁装材の裏面に転写塗布する壁紙糊付機に装着される養生テープ支持具であって、
該支持具の本体は、互いに面対称形状を持つ左右二つの一体成形品が互いに対向状態で組み合わされて構成されるものであり、
各一体成形品は、養生テープロールの一方の端面に当接する当接板部と、該当接板部に突設され、養生テープロールの中空芯内に摺動可能に嵌合する筒状部と、当接板部から延びる腕部の先端部に形成され、前記下部構体の各ローラ両端を軸支すると共に糊桶を間に保持する左右両側壁の間の前記糊桶下方の前方及び後方位置に横架された二本の棒状ステーのうちの一方に解除可能に嵌合固定される嵌合部と、をそれぞれ備え、
前記左右二つの一体成形品は、各嵌合部が互いに隣接して前記棒状ステーに嵌合固定された状態にて、前記筒状部同士と前記当接板部同士が互いに対向して一つの本体を一体的に構成することを特徴とする壁紙糊付機用養生テープ支持具。
【請求項２】
前記左右二つの一体成形品は、それぞれ同一樹脂成形物であり、
前記嵌合部は、前記棒状ステーを把持する略Ｃ字形状を有し、外力の作用に応じた部材撓みによって把持状態が拡げられて前記ステーに対して着脱可能となることを特徴とする請求項１に記載の壁紙糊付機用養生テープ支持具。
【請求項３】
前記左右二つの一体成形品の各腕部は、前記後方の棒状ステー又は前方の棒状ステーに嵌合固定された嵌合部から前記筒状部まで延びる長さが、該筒状部による養生テープロールの軸支位置を前記糊桶下方の糊付機本体前後方向のほぼ中央位置に位置付けるものであることを特徴とする請求項１又は２に記載の壁紙糊付機用養生テープ支持具。
【請求項４】
前記嵌合部は、前記左右両側壁間の後方位置に横架された棒状ステーに嵌合固定されることを特徴とする請求項１〜３のいずれか１項に記載の壁紙糊付機用養生テープ支持具。
【考案の詳細な説明】
【技術分野】
【０００１】
本考案は、壁紙糊付機に装着される養生テープ支持具に関するものである。
【背景技術】
【０００２】
一般的に、建築物の内装施工において、室内壁面への壁装材の貼付作業は、現場で専用の壁紙糊付機を用いてシート状の壁装材の裏面に糊を連続的に塗布しながら行っている。この壁紙糊付機として、内部に複数のローラが配置された上部構体及び下部構体から主に糊付機本体が構成され、該糊付機本体の上下構体の間に挟み込んだシート状壁装材（以下、クロスと記す）を各種ローラで搬送しながら下部構体内の糊タンクに軸支されている糊掻上げローラで糊タンクから糊をすくい上げて糊付けローラに転写し、この糊付けローラによりクロス裏面に塗付していくものが一般的である。
【０００３】
壁紙糊付機には手動式と自動式があり、具体的な構成の一例としては、下部構体上に原反ロールから繰り出されるクロスを先端部が本体前面に垂れる状態で載置して上部構体を閉じて下部構体と上部構体の所定ローラ間にクロスを挟み込んだ状態において、手動式装置ではクロス先端を作業者が手で持って前方へ引っ張ることによりローラの一部を追従回転させると共に他のローラをギアを介して連動回転させるものであり、自動式装置では所定のローラの軸を電動モータ等の駆動源に連結して回転させることによって他のローラもギアを介して連動回転するものが一般的である。
【０００４】
このような壁紙糊付機は、現場で使用するものであり、裏面に糊が塗布された壁装材を順次壁面に貼り付けていく。この貼付作業においては、通常、壁面上で隣り合う二枚の壁装材を繋ぎ合わせる際に、壁装材の縁部同士を重ね合わせた状態とし、糊が乾く前に重ね合わせ部分のほぼ中央で二枚の壁装材を同時に刃物で切断している。
【０００５】
切断後は、上側の壁装材の切り離された縁条部を下側壁装材表面から剥がし取ると共に、下側の壁紙の切り離された縁条部を壁面から剥がし取り、この縁条部があった壁面上に上側の壁紙の本体部分を貼り付ける。これによって、隣り合う二枚の壁装材の残った本体部分は互いに切断縁同士が連続的に繋ぎ合わされた状態が得られる。このような施工方法は「重ね切り」と言われ、壁装材貼付方法として一般的に用いられている。
【０００６】
この「重ね切り」施工法を用いる場合、下側の壁装材の縁部分の表面に余計な糊を付着させることなく、切断後の上下の壁装材の切り離された縁条部が容易に剥がせるようにするために、糊付け済みの壁装材裏面の上側に配置される縁部分に、その長尺方向に沿って養生テープを積層している。このような養生テープの積層により、上側に重ねられる壁装材の縁部分の糊の接着力が維持できる。
【０００７】
自動壁紙糊付機では、この養生テープの壁装材糊付面への積層も糊付けと平行して行われる。一般的には、糊付機本体の下部構体の下方に配置されたテープロールから繰り出される養生テープが、糊桶の前面側から均しローラ下方へ導かれ、ドライブローラと均しローラとの間を通ることによって、糊付けローラから糊塗布済みで搬送されてくる壁装材がドライブローラと均しローラとの間を通過する際に壁装材裏面に積層された状態で壁装材と共に糊付機本体前方へ送り出されてくる（例えば、特許文献１参照。）。
【先行技術文献】
【特許文献】
【０００８】
【特許文献１】特許第４０３３４１８号公報の図１及び図３
【考案の概要】
【考案が解決しようとする課題】
【０００９】
従来の壁紙糊付機においては、糊付機本体が載置される脚部付き台座の枠板にテープ芯棒の一端がネジ止めされてローラと平行に配置され、このテープ芯棒が筒状テープ芯を介して養生テープロールの中空芯内に挿通されることによって養生テープロールが糊付機本体下方に回転可能に軸支されている。テープ芯棒に軸支された養生テープロールは、テープ芯棒が挿通された二枚のテープ側板によって両側面で挟み込まれている。
【００１０】
しかしながら、上記のような養生テープロールの軸支構造においては、テープ芯棒、二枚のテープ側板、側板間に位置する筒状テープ芯、と互いに別体の部材から構成されるものであるため、養生テープの繰り出しの際には、繰り出しに伴うテープロールの回転振動で、各部材と共にテープロールがテープ芯棒に沿って摺動してしまい、繰り出される養生テープが蛇行し、壁装材裏面の縁部に沿って良好に積層できなくる恐れがあった。
【００１１】
また、壁紙糊付機によっては、主脚部を直接下部構体の左右両側壁の下部に取り付けて台座を用いない構成のものもある。この場合、上記のような台座に取り付けるテープ芯棒を用いた軸支構造は採用できない。
【００１２】
本考案の目的は、上記問題点に鑑み、養生テープロールの壁紙糊付機への軸支が、養生テープの繰り出しの際に蛇行が生じることなく、壁装材裏面縁部に沿って良好な養生テープの積層状態が維持できる養生テープ支持具を提供することにある。また、本考案は、糊付機本体を載置する脚付き台座を用いない壁紙糊付機であっても簡便に養生テープロールを軸支できる養生テープ支持具の提供も目的とする。
【課題を解決するための手段】
【００１３】
上記目的を達成するため、請求項１に記載の考案に係る壁紙糊付機用養生テープ支持具は、それぞれ複数のローラが回転可能に軸支された上部構体と下部構体との間で後部から引き入れられたシート状壁装材を前部に引き出しながら、前記下部構体内の糊桶に収容された糊を前記壁装材の裏面に転写塗布する壁紙糊付機に装着される養生テープ支持具であって、該支持具の本体は、互いに面対称形状を持つ左右二つの一体成形品が互いに対向状態で組み合わされて構成されるものであり、各一体成形品は、養生テープロールの一方の端面に当接する当接板部と、該当接板部に突設され、養生テープロールの中空芯内に摺動可能に嵌合する筒状部と、当接板部から延びる腕部の先端部に形成され、前記下部構体の各ローラ両端を軸支すると共に糊桶を間に保持する左右両側壁の間の前記糊桶下方の前方及び後方位置に横架された二本の棒状ステーのうちの一方に解除可能に嵌合固定される嵌合部と、をそれぞれ備え、前記左右二つの一体成形品は、各嵌合部が互いに隣接して前記棒状ステーに嵌合固定された状態にて、前記筒状部同士と前記当接板部同士が互いに対向して一つの本体を一体的に構成するものである。
【００１４】
請求項２に記載の考案に係る壁紙糊付機用養生テープ支持具は、請求項１に記載の壁紙糊付機用養生テープ支持具において、前記左右二つの一体成形品は、それぞれ同一樹脂成形物であり、前記嵌合部は、前記棒状ステーを把持する略Ｃ字形状を有し、外力の作用に応じた部材撓みによって把持状態が拡げられて前記ステーに対して着脱可能となることを特徴とするものである。
【００１５】
請求項３に記載の考案に係る壁紙糊付機用養生テープ支持具は、請求項１又は２に記載の壁紙糊付機用養生テープ支持具において、前記左右二つの一体成形品の各腕部は、前記後方の棒状ステー又は前方の棒状ステーに嵌合固定された嵌合部から前記筒状部まで延びる長さが、該筒状部による養生テープロールの軸支位置を前記糊桶下方の糊付機本体前後方向のほぼ中央位置に位置付けるものである。
【００１６】
請求項４に記載の考案に係る壁紙糊付機用養生テープ支持具は、請求項１〜３のいずれか１項に記載の壁紙糊付機用養生テープ支持具において、前記嵌合部は、前記左右両側壁間の後方位置に横架された棒状ステーに嵌合固定されるものである。
【考案の効果】
【００１７】
本考案の壁紙糊付機用養生テープ支持具においては、支持具本体が、互いに面対称形状を持つ左右二つの一体成形品が互いに対向状態で組み合わされて構成されるものであり、各一体成形品が、養生テープロールの一方の端面に当接する当接板部と、該当接板部に突設されて養生テープロールの中空芯内に摺動可能に嵌合する筒状部と、当接板部から延びる腕部の先端部に形成され、糊付機本体下部構体の左右両側壁間の糊桶下方に横架された前方ステーまたは後方ステーに解除可能に嵌合固定される嵌合部とをそれぞれ備え、この嵌合部同士を隣接状態で前記ステーに嵌合固定させた状態にて前記左右二つの一体成形品が一つの支持具本体を一体的に構成するものであるため、各筒状部をそれぞれテープロールの中空芯内に左右両側から嵌め込むように各当接板部材でテープロールを左右両側から挟んだ状態で両嵌合部を並べて前記ステーに嵌合固定させるだけで、テープ繰り出しに伴う回転振動が生じてもテープ支持具が糊付機本体の左右方向に摺動することなく、同一位置に固定されたまま安定した養生テープロールの軸支状態が維持でき、蛇行も生じないで常に壁装材縁部に沿って良好な養生テープ積層が行えるという効果がある。
【００１８】
また、本考案の壁紙糊付機用養生テープ支持具においては、壁紙糊付機が糊付機本体を脚付き台座を用いないで支持する構成の場合でも、簡便に下部構体に装着して所望の位置で養生テープロールを安定に軸支することができる。
【図面の簡単な説明】
【００１９】
【図１】本考案の一実施例による壁紙糊付機用養生テープ支持具を示す概略構成図であり、糊付機本体の後方ステーに装着された状態を示す斜視図である。
【図２】本養生テープ支持具を構成する左右二つの一体成形品の部材構成を示す斜視図であり、組み合わせ前の個別の状態としての糊付機本体後方から見て右側に位置する一体成形品の組立時内側面が露呈している状態と左側に位置する一体成形品の組立時外側面が露呈している状態の斜視図の斜視図である。
【考案を実施するための形態】
【００２０】
本考案による壁紙糊付機用養生テープ支持具は、支持具の本体が、互いに面対称形状を持つ左右二つの一体成形品が互いに対向状態で組み合わされて構成されるものであり、各一体成形品は、養生テープロールの一方の端面に当接する当接板部と、該当接板部に突設され、養生テープロールの中空芯内に摺動可能に嵌合する筒状部と、当接板部から延びる腕部の先端部に形成され、前記下部構体の各ローラ両端を軸支すると共に糊桶を間に保持する左右両側壁の間の前記糊桶下方の前方及び後方位置に横架された二本の棒状ステーのうちの一方に解除可能に嵌合固定される嵌合部と、をそれぞれ備え、前記左右二つの一体成形品は、各嵌合部が互いに隣接して前記棒状ステーに嵌合固定された状態にて、前記筒状部同士と前記当接板部同士が互いに対向して一つの本体を一体的に構成するものである。
【００２１】
即ち、本考案では、支持具本体が前記棒状ステーに装着された状態において、各筒状部がそれぞれ養生テープロールの中空芯内に左右両側から嵌合して前記糊桶の下方位置で養生テープロールを軸支するテープ芯を構成すると共に、各当接板部がそれぞれ左右両側から養生テープロールの両側面に当接するテープ側板を構成することになる。実際に養生テープロールを軸支する際には、テープロールの中空芯内に左右両側からそれぞれ筒状部を嵌め込んで該テープロールを左右二つの一体成形品で挟んで両嵌合部を並べた状態としてから対称ステーに嵌合固定するものである。このステーへの嵌合により、左右二つの一体成形品のテープロールを軸支した状態における一体化状態が安定に固定される。
【００２２】
従って、テープ芯相当部とテープ側板相当部とが互いに一体の状態で直接養生テープロールを軸支するものであるため、互いに別体のテープ芯とテープ側板とこれも又別体のテープ芯棒に挿通された状態で養生テープロールを軸支していた従来構成のような回転振動に伴う芯棒に沿った摺動が生じることが無く、養生テープロールの安定した軸支状態が維持される。これによって、養生テープの繰り出しの際に蛇行が生じることもなく、養生テープは常に壁装材の縁部に沿って良好に積層される。
【００２３】
棒状ステーに対する嵌合部としては、支持具本体が着脱可能にステーに装着されるものであれば良いが、簡便な構成のものが望ましい。例えば、部材の撓みを利用してステーに押しつけることでステーに嵌合し、引っ張れば嵌合が外れる形態が最も簡便である。具体的には、棒状ステーを把持する略Ｃ字形状を有し、外力の作用に応じた部材撓みによって把持状態が拡げられて前記ステーに対して着脱可能となる構成が好適なものとして挙げられる。
【００２４】
このよう嵌合部は、前記左右二つの一体成形品を、金型を用いて製造する同一樹脂成形物とすれば容易に得ることができ、また適度な素材を選択することによって、通常使用時のロール自身の荷重および回転振動時の負荷では外れない強度を持ちながらも、人の適度な押込や引っ張り動作で比較的容易にステーに着脱できる良好な可撓性も得られる。
【００２５】
また、本考案の養生テープ支持具においても、養生テープロールの軸支位置は、従来と同様に養生テープを糊付け作業に影響しないで繰り出すことができる糊桶下方の糊付機本体前後方向のほぼ中央位置とすることが望ましい。本考案においては、養生テープロールの軸支位置は、筒状部周りの当接板部から嵌合部に延びる腕部の長さによる筒状部から嵌合部までの距離で決定されるため、養生テープロールを糊付機本体前後方向のほぼ中央位置で軸支するためには、実質的に前記筒状部が該中央位置に位置付けられる腕部の長さにすれば良い。
【００２６】
また、本考案の養生テープ支持具は、下部構体の左右両側壁間の前方ステー、後方ステーのいずれに装着してもよいが、嵌合部が上述のような略Ｃ字形状である場合、その両開口端部が嵌る溝をステーの両側面に設けて、嵌合部との嵌合性を高めることが望ましい。このような溝に対する略Ｃ字形状嵌合部の把持固定は、その固定位置が溝に沿って任意に選択できる。よって、壁装材毎に、実際に養生テープを積層する壁装材の対象縁部分に対応する位置に固定することができる。
【００２７】
但し、このように嵌合部がステーを下方から前後を挟むように把持する形態の場合、後方ステーに養生テープ支持具の装着する方が簡便である。これは、通常、糊付け後に送り出された壁装材を切断する際に、前方ステーの前面に壁装材を沿わせて垂らした状態で、ステー上面を定規としてその上面端辺に沿ってカッタで切断していることから、該前方ステーの前面は壁装材を部分的に膨らませるような突出のない全体的な平坦面とすることが望ましいためである。前方ステーに嵌合部を嵌合させる場合、ステーの前側にも嵌合部の一部分が配置され、それが壁装材を膨らませて前方ステー上面に沿った直線的切断に支障を生じる恐れがある。
【００２８】
従って、前方ステーに養生テープ支持具を装着する場合には、嵌合部を前方ステーの前側面からの突出がほとんどない形態とする必要があるが、後方ステーに装着する場合にはこのような制約はない。なお、繰り出される養生テープは糊桶前面側に送られてからドライブローラと均しローラの間に通されるため、問題なく養生テープ支持具が前方ステーへ装着される場合、養生テープは該支持具の前面側に沿って上昇して糊桶前面に送られることになるので、該支持具の前面に養生テープの案内ガイドを設けても良い。
【００２９】
さらに、本考案による養生テープ支持具は、下部構体の左右両側壁間に横架された棒状ステーに装着されるものであるため、壁紙糊付機が、糊付機本体の下部構体両端下部に主脚部が直接取り付けられているような台座を用いない構成であっても、問題なく簡便に養生テープを軸支することができる。
【実施例】
【００３０】
本考案の一実施例として、壁紙糊付機の下部構体下部の後方ステーに装着される養生テープ支持具を図１及び図２に示す。図１は、後方ステー装着状態の養生テープ支持具を糊付機本体後方から見た斜視図であり、図２は、本養生テープ支持具を構成する左右二つの一体成形品の組み合わせ前の状態における部材構成を示す斜視図である。図１では、養生テープロール自体の図示は省いた。
【００３１】
本実施例によるテープ支持具が装着される壁紙糊付機は、糊付機本体１を脚付き台座を用いることなく、下部構体４の左右両側壁５の中央下部にそれぞれ直接取り付けられた脚部８によって支えられるものとする。また糊付機本体１の基本構成は従来と同様の構成を備えたものであり、即ち、糊付機本体１は、糊桶２を内部に備えた下部構体４とこの下部構体４の上部を覆うように開閉可能に載置される上部構体３とによって構成される。
【００３２】
下部構体４内には、内部に糊が収容される糊桶２が本体前方からの出し入れ摺動可能に左右両側板５の間に保持され、この糊桶２の左右両側板間に、糊桶中心より後面側寄りの位置で糊上げローラが軸支されている。また、できるだけ糊桶２内に沈む下方位置の配置となるように、下部構体４の左右両側壁間に軸支されている糊付けローラは、糊桶内の糊上げローラと当接し、該糊上げローラの回転によって掻き上げられた糊が転写される。
【００３３】
さらに、糊付けローラは、着脱可能に本体に装着されるコントローラ内の駆動源（図示せず）の駆動軸に連結されており、この糊付けローラの回転軸が、下部構体４に配置される下ピンチローラ、ドクターローラ、均しローラ及び上部構体３に配置される検尺ローラとして用いられる上ピンチローラ４１、押さえローラ４２、ドライブローラ４３のうちの所定ローラの回転軸とギアを介して連動されている。
【００３４】
これによって、糊付けローラの回転に伴って、ギアを介して回転運動が伝達された他のローラも回転し、原反ロールから繰り出されて上下部構体３，４間に挟み込まれた壁装材（以下、クロスと記す）は、各ローラ間を通って後方から前方へ搬送され、その途中で糊付けローラ上を搬送される際に糊桶から糊上げローラを介して引き上げられた糊がクロス裏面に転写塗布される。
【００３５】
本実施例においては、下部構体４の左右両側壁５間の下部に横架された後方ステー６に着脱可能に装着される養生テープ支持具１０によって養生テープロールが糊桶下方の糊付機本体１の前後方向のほぼ中央位置に軸支される。
【００３６】
養生テープ支持具１０は、図２に示すように、その支持具本体が、互いに面対称形状を持つ左右二つの同一樹脂製からなる一体成形品（１１，２１）が互いに対向状態で組み合わされて構成されるものである。
【００３７】
各一体成形品（１１，２１）は、養生テープロールの一方の端面に当接する当接板部（１２，２２）と、該当接板部（１２，２２）に突設され、養生テープロールの中空芯内に摺動可能に嵌合する筒状部（１３，２３）と、当接板部（１２，２２）から延びる腕部（１４，２４）と、この腕部（１４，２４）の先端部に形成され、前記後方ステー６に解除可能に嵌合固定される嵌合部（１５，２５）とをそれぞれ備えたものである。
【００３８】
図１に示すように、これら左右二つの一体成形品（１１，２１）は、各嵌合部（１５，２５）が互いに隣接して後方ステー６に嵌合固定された状態にて、筒状部（１３，２３）同士と当接板部（１２，２２）同士が互いに対向して一つの支持具本体を一体的に構成する。
【００３９】
本実施例においては、嵌合部（１５，２５）は、後方ステー６の下側から該ステー７の前後側面を把持する略Ｃ字形状を有するものとし、後方ステー６の前後側面には、その長尺方向（糊付機本体１の左右幅方向）に亘って溝７が形成されており、略Ｃ字形状の嵌合部（１５，２５）の開放両端部（１６，２６）がこの溝７に嵌め込めれる形態となっており、後方ステー６との嵌合性は高いものである。
【００４０】
なお、二つの一体成形品（１１，２１）は樹脂製であるため、嵌合部（１５，２５）は、力を加えるとその部材撓みによって開放両端部（１６，２６）同士が拡げられるため、この嵌合部（１５，２５）を後方ステー６の下側から上方へ押し込めば、容易に後方ステー６に対して把持固定状態が得られ、この固定状態から一体成形品（１１，２１）を下方へ引っ張れば、後方ステー６から嵌合部（１５，２５）を取り外すことができる。このような嵌合部（１５，２５）の構成によって、養生テープ支持具１０の後方ステー６に対する着脱は、複雑な工程を必要とすることなく簡便な操作のみで行える。
【００４１】
実際の装着の際は、まず、養生テープロールの中空芯内に左右両側からそれぞれ筒状部（１３，２３）を嵌め込むように該テープロールの左右両端面を当接板部（１２，２２）で挟んで一体的にし、両嵌合部（１５，２５）が並んだ状態とする。この状態を維持して両嵌合部（１５，２５）を後方ステー６に下方から押し込んで把持固定させる。この固定状態が得られると同時に、養生テープロールの軸支状態が得られる。
【００４２】
このようの本実施例に養生テープ支持具１０は、下部構体４のステー６に装着されるものであるため、下部構体４を支える脚付き台座がない壁紙糊付機であっても、養生テープロールを糊桶２下方で簡便に軸支することができる。
【００４３】
以上のような養生テープ支持具１０による養生テープロールの軸支状態では、従来のテープ側板に相当する当接板部（１２，２２）の間でこれら当接板部（１２，２２）一体に形成された筒状部（１３，２３）によって直接軸支されるものであるため、養生テープ繰り出し中に、従来のテープ芯に相当する筒状部（１３，２３）や当接板部（１２，２２）がそれぞれテープ繰り出しに伴う回転振動で糊付機本体１の左右幅方向に摺動することもなく、また支持具１０の嵌合部（１５，２５）自体が従来のテープ芯棒に対する支持具の摺動のような前記左右幅方向への移動が生じない。従って、テープ繰り出しによって回転振動が生じても、養生テープロールの軸支位置は常に安定して固定され、テープに蛇行を生じることもなく、クロス縁部に沿った良好な積層状態が維持される。
【符号の説明】
【００４４】
１：壁紙糊付機
２：糊桶
３：上部構体
４：下部構体
５：下部構体の左右側壁
６：後方ステー
７：溝
８：脚部
１０：養生テープ支持具
１１，２１：一体成形品
１２，２２：当接板部
１３，２３：筒状部
１４，２４：腕部
１５，２５：嵌合部
【図１】
0003152633.tif 000003
【図２】
0003152633.tif 000004